(57)【要約】【課題】ライトワンス・メモリを用いた場合に、必要な画像情報を効率的に記憶可能な電子カメラを提供する。【解決手段】ライトワンス・メモリ９が一旦記憶した画像情報に上書きできないことに鑑み、まずメモリ６に記憶し、その後所定の条件が成立したとき必要な画像情報のみ、ライトワンス・メモリ９に記憶するので、ライトワンス・メモリ９の記憶容量を有効に利用することができる。【選択図】　　図３
2004112263.tif 000002
【特許請求の範囲】
【請求項１】
光学像を画像情報に変換して取得する撮像部と、
前記撮像部によって取得された画像情報を記憶し読み出し消去可能な第１のメモリと、
前記第１のメモリに記憶された画像情報を選択する選択手段と、を有し、
画像情報を記憶し読み出しを許容するが上書き不能な第２のメモリを装着可能となっている電子カメラにおいて、
前記選択手段により選択された画像情報が、前記第２のメモリに記憶されることを特徴とする電子カメラ。
【請求項２】
光学像を画像情報に変換して取得する撮像部と、
前記撮像部によって取得された画像情報を記憶し読み出し消去可能な第１のメモリと、を有し、
画像情報を記憶し読み出しを許容するが上書き不能な第２のメモリを装着可能となっている電子カメラにおいて、
前記第２のメモリが装着されている場合、前記撮像部によって取得された画像情報は、前記第２のメモリに記憶される前に前記第１のメモリに記憶されることを特徴とする電子カメラ。
【請求項３】
光学像を画像情報に変換する撮像部を有し、
前記撮像部によって取得された画像情報を記憶し読み出し消去可能な第１のメモリと、画像情報を記憶し読み出しを許容するが上書き不能な第２のメモリとを装着可能となっている電子カメラにおいて、
前記第１のメモリ及び前記第２のメモリが装着されている場合、前記撮像部によって取得された画像情報は、前記第２のメモリに記憶される前に前記第１のメモリに記憶されることを特徴とする電子カメラ。
【請求項４】
前記第１のメモリに記憶された画像情報は、所定の条件が成立したとき前記第２のメモリに記憶されることを特徴とする請求項２又は３に記載の電子カメラ。
【請求項５】
前記第１のメモリに記憶された画像情報を選択して、前記第２のメモリに記憶する選択手段を有することを特徴とする請求項２乃至４のいずれかに記載の電子カメラ。
【請求項６】
前記第１のメモリに記憶された画像情報に基づき画像を表示する画像表示部を有することを特徴とする請求項１乃至５のいずれかに記載の電子カメラ。
【発明の詳細な説明】
【０００１】
【発明の属する技術分野】
本発明は、電子カメラに関し、特に画像情報を記憶し読み出しを許容するが上書き不能なメモリを装着可能となっている電子カメラに関する。
【０００２】
【従来の技術】
電子技術の向上に伴い、撮像（撮影ともいう）した画像をデジタルデータに変換して記憶する電子カメラが開発され、既に市販されている。ユーザーは、電子カメラにより撮像した画像を、たとえば自分のパソコンのディスプレイに表示でき、またプリンタを介してプリントできるため、その応用範囲は広いものとなっている。
【０００３】
かかる電子カメラは、メモリカードなどの記憶手段を装着可能となっており、装着されたメモリカードには、その記憶容量分だけ、撮影によって取得した画像情報を記憶できるようになっている。又、メモリカードの記憶残量が少なくなった場合には、不要な画像情報を消去することで、新たな画像情報を記憶できるようになっている。しかるに、メモリーカードは画像情報の記憶と消去を任意に行えるものであるから、電子カメラには非常に有効なものだが、一般的には高価であるという問題がある。
【０００４】
これに対し、近年、ライトワンスと呼ばれるメモリが開発されるに至った。ライトワンス・メモリは、画像情報を記憶し読み出しを許容するが上書き不能なメモリであり、その構成上、比較的安価である。従って、ライトワンス・メモリを電子カメラの記憶手段として用いることができれば、ユーザーの負担が減少するので好ましい。ライトワンス・メモリに関しては、以下のＵＲＬのホームページに詳細に記載されている。
【非特許文献１】
ＵＲＬ　ｈｔｔｐ：／／ｗｗｗ．ｍａｔｒｉｘｓｅｍｉ．ｃｏｍ／
【０００５】
【発明が課題を解決しようとする課題】
ところで、いわゆるフラッシュ・メモリなどは、不要な画像情報に対して何度でも上書きできるのに対し、ライトワンス・メモリは、記憶した画像情報に上書き不能なものであるから、撮影に失敗した画像情報や、本人が記憶を望まない画像情報などを記憶すると、それにより記憶可能な容量が低下し、必要な画像情報を有効に記憶できないという問題がある。
【０００６】
本発明は、かかる従来技術の問題点に鑑みてなされたものであり、ライトワンス・メモリを用いた場合に、必要な画像情報を効率的に記憶可能な電子カメラを提供することを目的とする。
【０００７】
【課題を解決するための手段】
上述の目的を達成すべく、第１の本発明の電子カメラは、光学像を画像情報に変換して取得する撮像部と、前記撮像部によって取得された画像情報を記憶し読み出し消去可能な第１のメモリと、前記第１のメモリに記憶された画像情報を選択する選択手段と、を有し、画像情報を記憶し読み出しを許容するが上書き不能な第２のメモリを装着可能となっている電子カメラにおいて、前記選択手段により選択された画像情報が、前記第２のメモリに記憶されるので、前記第２のメモリがライトワンス・メモリの場合でも、ユーザーが必要とする画像情報を効率的に記憶することが可能となる。尚、選択手段は、ユーザーの操作により画像情報を選択可能なものでも良いが、例えば真っ黒な画面など明らかに撮影に失敗したと判断される画像情報については、自動的に選択されないようにしても良い。又、「第１のメモリ」は、一般的な電子カメラに備えられているバッファメモリであっても良く、或いは別個にメモリを内蔵していても良い。
【０００８】
第２の本発明の電子カメラは、光学像を画像情報に変換して取得する撮像部と、前記撮像部によって取得された画像情報を記憶し読み出し消去可能な第１のメモリと、を有し、画像情報を記憶し読み出しを許容するが上書き不能な第２のメモリを装着可能となっている電子カメラにおいて、前記第２のメモリが装着されている場合、前記撮像部によって取得された画像情報は、前記第２のメモリに記憶される前に前記第１のメモリに記憶されるので、全ての画像情報はまず前記第１のメモリに記憶されるようにして、そこから必要な画像情報のみを抽出して前記第２のメモリに記憶するようにすれば、前記第２のメモリがライトワンス・メモリの場合でも、ユーザーが必要とする画像情報を効率的に記憶することが可能となる。尚、「第１のメモリ」は、一般的な電子カメラに備えられているバッファメモリであっても良く、或いは別個にメモリを内蔵していても良い。
【０００９】
第３の本発明の電子カメラは、光学像を画像情報に変換する撮像部を有し、前記撮像部によって取得された画像情報を記憶し読み出し消去可能な第１のメモリと、画像情報を記憶し読み出しを許容するが上書き不能な第２のメモリとを装着可能となっている電子カメラにおいて、前記第１のメモリ及び前記第２のメモリが装着されている場合、前記撮像部によって取得された画像情報は、前記第２のメモリに記憶される前に前記第１のメモリに記憶されるので、全ての画像情報はまず前記第１のメモリに記憶されるようにして、そこから必要な画像情報のみを抽出して前記第２のメモリに記憶するようにすれば、前記第２のメモリがライトワンス・メモリの場合でも、ユーザーが必要とする画像情報を効率的に記憶することが可能となる。
【００１０】
更に、前記第１のメモリに記憶された画像情報は、所定の条件が成立したとき前記第２のメモリに記憶されると好ましい。所定の条件が成立したときとは、前記第１のメモリの記憶残量が所定量（例えば残り撮影枚数が３枚）以下となった場合、或いは前記電子カメラの電源スイッチをオフ操作したときなどが考えられる。
【００１１】
又、前記第１のメモリに記憶された画像情報を選択して、前記第２のメモリに記憶する選択手段を有すると好ましい。
【００１２】
更に、前記第１のメモリに記憶された画像情報に基づき画像を表示する画像表示部を有すると、選択したい画像をユーザーが確認できるので好ましい。
【００１３】
【発明の実施の形態】
以下、図面を参照して本発明の実施の形態にかかるカメラを詳細に説明する。
図１は、本発明を適用した電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１４】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。なお、各構成部における詳細な説明は、後述する機能的構成の説明と併せて記載する。
閃光発光部は、ポップアップタイプのため図示されていない。又、図１では図示していないが、デジタルスチルカメラ１００の底部には、ライトワンス・メモリを装着するためのメモリスロットが設けられている。尚、操作スイッチ２１の選択ボタン２１ｃ、決定ボタン２１ｄ及びＣＰＵ１１が選択手段を構成する。
【００１５】
図２は、デジタルスチルカメラ１００の機能的構成を示すブロック図である。
図２において、デジタルスチルカメラ１００は、撮影光学系であるレンズユニット１、絞り２、ＣＣＤ３からなる撮像部２４、撮像回路４、Ａ／Ｄ変換回路５、本実施の形態では第１のメモリであるメモリ６、Ｄ／Ａ変換回路７、画像表示部８、圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、ＥＥＰＲＯＭ２０、ズームスイッチであるズームスイッチＳＴを含む操作ＳＷ２１、閃光発光部２２、補助光発光手段である補助光発光部３０（ＡＦ用の補助光発光部や赤目軽減ランプと兼用できる）、スイッチング回路２３とから構成される。尚、デジタルスチルカメラ１００は、第２のメモリであるライトワンス・メモリ９を装着自在となっており、装着した状態で、ライトワンス・メモリ９に対して画像情報を記憶し且つ記憶した画像情報を読み出し可能であるが、画像情報の上書きは不可能となっている。
【００１６】
撮像部２４は、後述する被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ　Ｃｏｕｐｌｅｄ　Ｄｅｖｉｃｅ）３により構成され、光電変換された画像信号（アナログ信号）を撮像回路４ヘ出力する。すなわち、撮像部２４は、撮像部としての機能を有する。
【００１７】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像情報を出力する。
【００１８】
メモリ６は、バッファメモリ等から構成され、入力された画像信号を一時的に記憶する、すなわち画像情報を記憶し読み出し消去可能となっている。また、メモリ６は、ＣＰＵ１１より画像表示指示を受けると、Ｄ／Ａ変換回路７に画像表示指示された画像情報を出力し、Ｄ／Ａ変換回路７は、入力された画像情報をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像情報（たとえばＪＰＥＧ形式で）を出力し、圧縮伸長回路１０は、入力された画像情報に対してライトワンス・メモリ９に出力する。
【００１９】
画像表示部（表示部ともいう）８は、ＴＦＴ（Ｔｈｉｎ　Ｆｉｌｍ　Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００２０】
第２のメモリであるライトワンス・メモリ９は、半導体メモリ等からなる１回のみ記憶可能なメモリであり、圧縮伸長回路１０から入力された画像情報を記憶する画像情報記憶領域を有する記憶媒体である。
【００２１】
また、ライトワンス・メモリ９は、ＣＰＵ１１より画像読み出し指示を受けると、圧縮伸長回路１０に読み出し指示された画像情報を出力し、圧縮伸長回路１０は、入力された画像情報の伸長処理を行ってメモリ６に出力する。
【００２２】
圧縮伸長回路１０は、メモリ６から入力された画像情報を所定の符号化方式で圧縮する圧縮回路と、読み出し指示された画像情報を画面表示するためにライトワンス・メモリ９から入力された画像情報を復号化して伸長する伸長回路と、からなる。すなわち、圧縮伸長回路１０は、圧縮手段としての機能を有する。
【００２３】
ＣＰＵ（Ｃｅｎｔｒａｌ　Ｐｒｏｃｅｓｓｉｎｇ　Ｕｎｉｔ）１１は、ＥＥＰＲＯＭ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２４】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像情報の圧縮化を行い、ライトワンス・メモリ９に出力する。
【００２５】
ＴＧ（Ｔｉｍｉｎｇ　Ｇｅｎｅｒａｔｏｒ）１２は、所定のタイミング信号を発生して撮像回路４、ＣＰＵ１１、ＣＣＤドライバ１４に出力する。
【００２６】
ＡＥ（Ａｕｔｏ　Ｅｘｐｏｓｕｒｅ：自動露光制御）・ＡＦ（Ａｕｔｏ　Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像情報に対して実行される。
【００２７】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００２８】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像情報の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００２９】
ここで、ＣＰＵ１１、ＡＦ処理回路によるＡＦ処理について説明する。ＣＰＵ１１は、駆動手段である光学系駆動モータ駆動回路１８を駆動制御してレンズユニット１の第２レンズ群を移動させながら各レンズ位置で漸次ＣＣＤ３により画像信号を生成させる。ＡＥ・ＡＦ処理回路１３は、Ａ／Ｄ変換回路５から入力された画像情報毎にＡＦ評価値を算出し、その比較を行って最大ＡＦ評価値であるレンズ位置を合焦点として検出し、ＣＰＵ１１に出力する。
【００３０】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００３１】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は、後述のごとく移動する。
【００３２】
電池１９は、デジタルスチルカメラ１００の各構成部に電力を供給する電力源であり、例えば、リチウム電池やアルカリ乾電池等が適用される。
【００３３】
ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）２０は、デジタルスチルカメラ１００の撮像に関る各種アプリケーションプログラム、処理プログラム等を記憶する。
【００３４】
操作ＳＷ（スイッチ）２１は、レリーズスイッチ２１ａや、後述するモード設定ボタン２１ｂ、選択ボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。
なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３５】
閃光発光部２２は、撮影時に検出された周囲環境の輝度が不足する場合に、被写体にストロボ光を発光する発光部であり、スイッチング回路２３によりその発光タイミングや発光量等が制御される。
【００３６】
次に、本実施の形態にかかるデジタルスチルカメラ１００の動作について、図面を参照して説明する。図３は、デジタルカメラ１００の動作の制御を示すフローチャートである。図４、５は、画像表示部８における画像表示例を示す図である。
【００３７】
まず、図３のステップＳ１０１において、電源スイッチ（不図示）がオンとなっていれば、ステップＳ１０２で、ＣＰＵ１１はモード判定を行う。すなわちユーザーによる操作スイッチ２１のモード設定ボタン２１ｂの操作に応じて撮影モードが設定されていると判断した場合、ＣＰＵ１１は、ステップＳ１０３で、第１段のレリーズスイッチ２１ａの押下信号（Ｓ１信号）が入力されるのを待つ。
ここで、第１段のレリーズスイッチ２１ａの押下信号（Ｓ１信号）が入力されたと判断すれば、ＣＰＵ１１は、ステップＳ１０４で、ＡＥ処理を行って適切な合焦を行い且つ露光条件を決定し、更にステップＳ１０５で、ＡＦ処理を行ってレンズユニット１を合焦位置へと駆動し、その後ステップＳ１０６で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ１０７でＣＣＤ３を介して画像信号を取り込んで画像処理を行い画像情報を取得し、それに基づきステップＳ１０８で、メモリ６に画像情報を記憶する。
【００３８】
更に、ステップＳ１０９で、ＣＰＵ１１は、メモリ６の残りの記憶容量を検出し、例えば撮影枚数に換算して３枚の記憶容量になったと判断した場合、ステップＳ１１０で、撮影によって取得された画像情報に基づく画像と共に、警告メッセージＭを表示する（図４参照）。かかる警告メッセージＭは、メモリ６の記憶容量が後３枚（これに限られない）撮影を行う量に低下したので、画像情報をライトワンス・メモリ９に移動するか否かユーザーに問いかける内容を含む。一方、ＣＰＵ１１が、メモリ６の残りの記憶容量が十分であると判断すれば、ステップＳ１１１で画像のみを表示する。尚、警告メッセージに従い、画像情報の移動を所望する場合、ユーザーは、ステップＳ１１３からの一括選択処理と、ステップＳ１１７からの個別選択処理を行うことができる。
【００３９】
一括選択処理はパワーオフ時に行える。より具体的には、ステップＳ１１２で、ＣＰＵ１１は、電源スイッチがオフ操作されたか否か判断し、オフ操作されたと判断すれば、ステップＳ１１３で、メモリ６に記憶されている画像情報を全て読み出して、ステップＳ１１４で、それらに基づきサムネール画像としてインデックス表示する（図５参照）。
【００４０】
ここで、ユーザーは、表示された画像を見ながら、所望の画像情報をライトワンス・メモリ９に移動することができる。より具体的には、操作スイッチ２１の選択ボタン２１ｃを操作すると、ステップＳ１１５で、ＣＰＵ１１は、ユーザーが画像情報の選択を所望していると判断し、操作に応じて画像の色枠（図５のＦ）を移動させるので、ユーザーはこれによりライトワンス・メモリ９に記憶したい画像情報を選択できる。その後ユーザーが操作スイッチ２１の決定ボタン２１ｄを押すことで、それに対応する画像情報がライトワンス・メモリ９に記憶され（ステップＳ１１６）、且つメモリ６から消去されるようになっている。一方、選択されなかった画像情報は、メモリ６に残存することとなるが、ユーザーの希望により消去できるようにしても良い。選択が終了した又は行われなかった場合、ステップＳ１２３で電力供給が停止されて、デジタルスチルカメラ１００は動作を休止し、フローはステップＳ１０１へと戻される。
【００４１】
個別選択処理について説明する。ステップＳ１０２のモード判定において、ユーザーによる操作スイッチ２１のモード設定ボタン２１ｂの操作に応じて選択モードが設定されていると判断した場合、ＣＰＵ１１は、選択処理を行う。より具体的には、ステップＳ１１７で、メモリ６に記憶されている最新（最古でも良い）の画像情報を読み出して、ステップＳ１１８で、それに基づき画像として表示する。かかる表示を見て画像情報の移動を所望したユーザーが、操作スイッチ２１の決定ボタン２１ｄを押すことで（ステップＳ１１９）、それに対応する画像情報がライトワンス・メモリ９に記憶され（ステップＳ１２０）、且つメモリ６から消去されるようになっている。これに対し、選択することなく、操作スイッチ２１のネクストボタン（選択ボタン２１ｃと兼用してよい）を押せば（ステップＳ１２１）、ＣＰＵ１１は、ステップＳ１１７に戻って、次に新しい（古い）画像情報を新たに読み出して、ステップＳ１１８で、それに基づき画像として表示するので、以下、同様にして、メモリ６に記憶されている画像情報について、必要なもののみをライトワンス・メモリ９に記憶することができる。選択されなかった画像情報は、メモリ６に残存することとなるが、ユーザーの希望により消去できるようにしても良い。以上の処理は、ユーザーの操作スイッチ２１の操作に応じて、ＣＰＵ１１がステップＳ１２２で選択処理が終了したと判断するまで実行され（ステップＳ１２２）、選択処理が終了したと判断した場合、フローはステップＳ１０１へと戻される。
【００４２】
このように、本実施の形態によれば、ライトワンス・メモリ９が一旦記憶した画像情報に上書きできないことに鑑み、まずメモリ６に記憶し、その後所定の条件が成立したとき必要な画像情報のみ、ライトワンス・メモリ９に記憶するので、ライトワンス・メモリ９の記憶容量を有効に利用することができる。
【００４３】
尚、別の実施の形態としては、図２のメモリ６を着脱自在なフラッシュメモリから構成することが考えられる。すなわち、かかる実施の形態としては、着脱自在なメモリ６が第１のメモリを構成し、ライトワンス・メモリ９が第２のメモリを構成する。それ以外の構成については上述した実施の形態と同様であるので、説明は省略する。但し、ライトワンス・メモリ９のみが装着されている場合、画像情報の記憶は、メモリ６の代わりに直接ライトワンス・メモリ９に対して行うように設定しても良い。シャッターチャンスを逃さないようにするためである。
【００４４】
以上、本発明を実施の形態を参照して説明してきたが、本発明は上記実施の形態に限定して解釈されるべきではなく、適宜変更・改良が可能であることはもちろんである。例えば、ＣＰＵ１１が、メモリ６の残りの記憶容量を検出し、例えば撮影枚数に換算して３枚の記憶容量になったと判断した場合には、自動的に選択モードを設定するようにしても良い。又警告メッセージを表示するタイミングは、メモリ６の容量に応じて可変（例えば全記憶容量の５％以下となったとき等）としてもよい。
【００４５】
【発明の効果】
本発明によれば、ライトワンス・メモリを用いた場合に、必要な画像情報を効率的に記憶可能な電子カメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を示すブロック図である。
【図３】本実施の形態にかかるデジタルスチルカメラで実行される処理を説明するフローチャートである。
【図４】画像表示部８の表示例を示す図である。
【図５】画像表示部８の表示例を示す図である。
【符号の説明】
８　画像表示部
１１　ＣＰＵ
２１　操作スイッチ
１００　デジタルスチルカメラ
【図１】
2004112263.tif 000003
【図２】
2004112263.tif 000004
【図３】
2004112263.tif 000005
【図４】
2004112263.tif 000006
【図５】
2004112263.tif 000007